(57)【要約】【課題】原子力発電所の格納容器内に設置される照明器具の着脱が容易かつ短時間に行え、かつ、着脱作業時にボルト類の落下の虞が少ない照明器具の着脱金具を提供する。【解決手段】照明器具着脱金具を、各部屋の天井部の梁に固定された断面形状が概略凸状の金具Ａと、照明器具がボルトで固定された前記金具Ａより一回り大きな断面概略凸状の金具Ｂとから成り、前記金具Ａの外面に沿って前記金具Ｂが摺動して固定位置に嵌合し、前記金具Ｂに設けたキャッチクリップによって前記金具Ａと前記金具Ｂを連結するよう構成する。【選択図】図２
0003177470.tif 000002
【実用新案登録請求の範囲】
【請求項１】
格納容器内のサプレッションプールの上部に設けられ、網目状の開口部をもつグレーチング床で階層的に設置された各部屋の天井部の梁に固定された断面形状が概略凸状の金具Ａと、照明器具がボルトで固定された前記金具Ａより一回り大きな断面概略凸状の金具Ｂとから成り、前記金具Ａの外面に沿って前記金具Ｂが摺動して固定位置に嵌合し、前記金具Ｂに設けたキャッチクリップによって前記金具Ａと前記金具Ｂを連結するよう構成したことを特徴とする照明器具着脱金具。
【請求項２】
前記各部屋の天井部の梁にダクターチャンネルを固定し、該ダクターチャンネルにボルトで前記金具Ａを取り付けるよう構成したことを特徴とする請求項１に記載の照明器具着脱金具。
【考案の詳細な説明】
【技術分野】
【０００１】
本考案は、照明器具の着脱金具に関し、詳しくは、梁や天井部などの照明器具の設置箇所から照明器具を容易に着脱可能な着脱金具に関する。
【背景技術】
【０００２】
原子力発電所の原子炉格納容器は、その中に収容する圧力容器の下部に水を蓄える圧力抑制室（サプレッションプール）を有し、その圧力抑制室の上部には格納容器全体に蒸気を拡散させるために網目状の開口部をもつグレーチング床が階層的に設置された構造となっている。原子力発電所の定期検査の際には、前記各階層で機器の点検・保守作業が行われるため、各階層に照明器具が配置されているが、各階層とも狭隘な空間なため、作業内容によっては使用する機材と照明器具とが干渉して作業の妨げになることがあるため、その都度照明器具の取り外しと、作業終了後の照明器具の復帰（取付け）が行われる。
【０００３】
また、前記作業時の照明器具の脱着以外に、格納容器内のより放射線の低い場所に照明器具を移し、照明器具への放射線照射量を低減させて照明器具の寿命を長く保ちたいとのニーズから、定期検査の終了時に照明器具の取り外しを行う場合もある。
【０００４】
前記したように、各階層はグレーチング床となっているため、照明器具の着脱をボルトやナットなどの取り外しによって行うと、作業の際にそれらを誤って落下させ、グレーチング床の開口部を通ってサプレッションプール内に落下させてしまう虞があり厳重な注意を払いながらの作業となること、また、放射線管理区域内での作業であり、作業員の防護服着用により作業性の悪い条件下での作業となること、更に、作業時間が長くなることにより作業員の被爆線量が増加することなど、照明器具の着脱作業への合理化の要望は非常に高い。
【０００５】
特許文献１には電柱のような円周や角柱の外辺が不統一な柱状物に、配電盤又は電灯盤等のようなボックスや照明器具等のように形状及び大きさの不統一な物品を現場作業で簡単に取付ける方法として、前記柱状物に取り付ける金属バンドと該金属バンドに取り付けられる金物が、ダクターチャンネルを介して前記物品に取り付けられる構成が開示されている。しかし、物品の取付けと取外しを繰り返すような用途を想定したものではなく、本願の目的である照明器具の着脱には必ずしも好適な方法とはいえない。
【先行技術文献】
【特許文献】
【０００６】
【特許文献１】特開２００２−１４７４１５号公報
【考案の概要】
【考案が解決しようとする課題】
【０００７】
本考案は、原子力発電所の格納容器内に設置される照明器具の着脱が容易かつ短時間に行え、かつ、着脱作業時にボルト類の落下の虞が少ない照明器具の着脱金具を提供することを課題とする。
【課題を解決するための手段】
【０００８】
上記課題を解決するため本考案の照明器具着脱金具は、格納容器内の圧力抑制室（サプレッションプール）の上部に設けられ、網目状の開口部をもつグレーチング床で階層的に設置された各部屋の天井部の梁に固定された断面形状が概略凸状の金具Ａと、照明器具がボルトで固定された前記金具Ａより一回り大きな断面概略凸状の金具Ｂとから成り、金具Ａの外面に沿って金具Ｂが摺動して固定位置に嵌合し、金具Ｂに設けたキャッチクリップによって金具Ａと金具Ｂを連結するよう構成したことを特徴とする。
【０００９】
これにより、金具Ａと金具Ｂは前記キャッチクリップの開閉と、照明器具と一体になった金具Ｂの摺動作業だけで照明器具の着脱が可能となるため、着脱作業が容易となり作業時間が短縮できるとともに、ボルト類の落下を防止できる。
【００１０】
また、前記各部屋の天井部の梁にダクターチャンネルを固定し、該ダクターチャンネルにボルトで前記金具Ａを取り付けるよう構成したことを特徴とする。
【００１１】
これにより、Ｈ鋼梁への金具Ａの取付位置調整に裕度が生じて作業性が向上するとともに、Ｈ鋼梁自体にボルト穴を開ける必要が無いことから設置位置の変更も簡単に行える効果がある。
【考案の効果】
【００１２】
本考案によれば、照明器具の脱着が容易で短時間で行えるため作業員の放射線被爆を抑制できるとともに、着脱作業でボルトやナットなどを落下させる危険性を減少させる効果がある。また、照明器具の取り付け位置変更が簡単に行える。
【図面の簡単な説明】
【００１３】
【図１】本考案の照明器具着脱金具が使用される原子炉格納容器の概要を示す断面図。
【図２】本考案の照明器具着脱金具の取付け状況を示す鳥瞰図。
【図３】本考案の照明器具着脱金具の取付け状況を示す正面図。
【考案を実施するための形態】
【００１４】
以下、図に基づいて本考案の実施例を説明する。
図１に示すように、圧力抑制室（サプレッションプール）６の上部にあるグレーチング床で区切られた各階層の部屋の天井部には照明器具４０が設置されている。
また、より詳細な照明器具４０の取付け構造を図２に示す。天井部には前記グレーチング床を支持するＨ鋼梁１０が配置されており、照明器具の取付け位置にダクターチャンネル１１を吊り金具１２によって固定する。断面形状が概略凸状（取り付け状態は下に凸状）の金具Ａ２０を、前記ダクターチャンネル１１内のケーシング折り返し部に配置したダクター中ナット１３とボルト２３を用いて前記ダクターチャンネル１１に取り付ける。なお、この金具Ａ２０は以後、破損等の事情がない限りＨ鋼梁１０から取り外すことは無い。
【００１５】
金具Ｂ３０は金具Ａ２０より一回り大きな形状をしており、金具Ａ２０の外面に沿って摺動し、金具Ａ２０の端部に設けたストッパー２２に突き当たる位置（固定位置）において嵌合される。金具Ｂ３０の両側面にはキャッチクリップ３４が設置され、同様に金具Ａ２０のストッパー２２の両側面に設けた爪２１にキャッチクリップ３４を引っ掛け、キャッチクリップ３４バネの力で金具Ａ２０と金具３０とが連結される。
【００１６】
金具Ｂ３０には照明器具４０が取り付けられる。すなわち、照明器具４０の上面に連結した吊り金具４１を介して、金具Ｂ３０と照明器具４０がボルト３２、ナット３３によって一体に固定される。照明器具４０の下面には何かの衝撃を受けた際に発光体が落下しないようガード４２が設置されている。なお、金具Ｂ３０と照明器具４０は、そのどちらかが破損しない限り両者を分離・交換することはない。
【００１７】
図３は金具Ａ２０に金具Ｂ３０が嵌合された状態の正面図であり、その一部を破断図により内部状況を表し、また、金具Ｂ３０及び金具Ｂ３０に付随するキャッチクリップ３４は二点鎖線（想像線）で表している。ダクターチャンネル１１は吊り金具１２をＨ鋼梁１０に引っ掛けた状態でボルトによって固定される。金具Ａ２０はその下面からボルト２３を貫通させてダクターチャンネル１１内部の折り返し部に載せたダクター中ナット１３にボルトで固定する。これにより、金具Ａ２０とＨ鋼梁１０との固定が堅固なものとなっている。
【００１８】
照明器具４０と一体の金具Ｂ３０は、金具Ａ２０より一回り大きく、図３において右方向から金具Ａ２０の外面に沿って摺動するように挿入され、金具Ａ２０の左側に設けたストッパー２２に突き当たった位置でキャッチクリップ３４を爪２１に留めることで嵌合状態となる。なお、照明器具４０の電源コード４３は、コネクタ４４をＨ鋼梁１０などに設置された電源ボックス４５（図では設置状況を省略）に差し込む構造にして照明器具４０の着脱を容易に行えるようになっている。
【符号の説明】
【００１９】
１…原子炉建屋、２…原子炉圧力容器、３…原子炉格納容器、５…グレーチング床、６…圧力抑制室（サプレッションプール）、７…原子炉補助建屋、１０…Ｈ鋼梁、１１…ダクターチャンネル、１２…吊り金具、１３…ダクター中ナット、２０…金具Ａ、２１…爪、２２…ストッパー、２３…ボルト、３０…金具Ｂ、３１…穴、３２…ボルト、３３…ナット、３４…キャッチクリップ、４０…照明器具、４１…吊り金具、４２…ガード、４３…電源コード、４４…コネクタ、４５…電源ボックス。
【図１】
0003177470.tif 000003
【図２】
0003177470.tif 000004
【図３】
0003177470.tif 000005